(57)【要約】  仕切板の振動による異音の発生を防止し、信頼性の高い空気調和機の室内機を提供する。空気調和機の室内機は、風路に並列に並べられた複数のファンと、複数のフィン及び冷媒を通す伝熱管を有し、該ファンの下流に配置された熱交換器と、ファンと熱交換器との間の風路にあり、複数のファンの気流をそれぞれ独立させる仕切板と、を備える。熱交換器は、互いに平行でない少なくとも１組の斜面部を備える。仕切板は、熱交換器の１組の斜面部にそれぞれ対向する、少なくとも１組の側面を有する。側面は、係止爪と、フィンの間に入り込む突出片と、を備え、係止爪は、弾性力を有する腕部と、腕部の先端にあり、斜面部に向かい突出している爪部と、を備え、一方の側面に備えられた係止爪と他方の側面に備えられた係止爪とは、互いに逆方向に可動となっており、爪部は、対向する斜面部のフィンの間に入り、伝熱管に係合する。
2017013775.tif 000002
【特許請求の範囲】
【請求項１】
並列に並べられた複数のファンと、
複数のフィン及び冷媒を通す伝熱管を有し、前記ファンの下流に配置された熱交換器と、
前記ファンと前記熱交換器との間にあり、複数の前記ファンの気流をそれぞれ独立させる仕切板と、を備える空気調和機の室内機であって、
前記熱交換器は、
互いに平行でない少なくとも１組の斜面部を備え、
前記仕切板は、
前記熱交換器の１組の前記斜面部にそれぞれ対向する、少なくとも１組の側面を有し、
前記側面は、
係止爪と、
前記フィンの間に入り込む突出片と、を備え、
前記係止爪は、
弾性力を有する腕部と、該腕部の先端にあり、前記斜面部に向かい突出している爪部と、を備え、
一方の前記側面に備えられた前記係止爪と他方の前記側面に備えられた前記係止爪とは、互いに逆方向に可動となっており、
前記爪部は、
対向する前記斜面部の前記フィンの間に入り、前記伝熱管に係合する、空気調和機の室内機。
【請求項２】
前記爪部は、
前記仕切板を前記熱交換器に取り付る方向に向かって前記腕部からの突出量が減少する誘い形状を備える、請求項１に記載の空気調和機の室内機。
【請求項３】
前記爪部は、
前記仕切板の取付状態から取り外し方向に力を加えた際に前記伝熱管と接触する面の法線方向が前記腕部と２０°以下の角度をなす、請求項１又は２に記載の空気調和機の室内機。
【請求項４】
前記突出片は、
前記熱交換器の互いに平行でない１組の前記斜面部のそれぞれの前記フィンの間に入り込む、請求項１〜３の何れか１項に記載の空気調和機の室内機。
【請求項５】
前記熱交換器は、
複数の熱交換ユニットを有し、
断面形状がＷ形状に前記熱交換ユニットが並べられている、請求項１〜４の何れか１項に記載の空気調和機の室内機。
【請求項６】
前記熱交換器は、
複数の熱交換ユニットを有し、
断面形状がＶ形状に前記熱交換ユニットが並べられている、請求項１〜４の何れか１項に記載の空気調和機の室内機。
【請求項７】
前記熱交換器は、
複数の熱交換ユニットを有し、
断面形状が上下逆転したＶ形状に前記熱交換ユニットが並べられている、請求項１〜４の何れか１項に記載の空気調和機の室内機。
【請求項８】
前記熱交換器は、
複数の熱交換ユニットを有し、
断面形状がＭ形状に前記熱交換ユニットが並べられている、請求項１〜４の何れか１項に記載の空気調和機の室内機。
【請求項９】
前記仕切板は、
前記ファンと前記熱交換器との間の風路を仕切る仕切り部を備え、
該仕切り部は、
外周及び表面にリブ形状を設けている、請求項１〜８の何れか１項に記載の空気調和機の室内機。
【発明の詳細な説明】
【技術分野】
【０００１】
本発明は、複数の軸流ファンを搭載した空気調和機の室内機に関し、特に風路を独立させる仕切り板の取付構造に関する。
【背景技術】
【０００２】
従来、吸込口及び吹出口を有するケーシング内に配設された熱交換器と、ケーシングに左右（水平）方向に複数の軸流ファンを並設し、ケーシングに左右（水平）方向に配設された吹出口から調和空気を吹き出す空気調和機が存在する。空気調和機の隣接したファンの間には仕切り板が設けられている。これら仕切り板は、熱交換器とファンの間に設置されており、熱交換器とファンの間の風路が複数の風路に分割されている。仕切り板は、熱交換器とファンの間に設置されるため、熱交換器に接する側の端部が熱交換器に沿った形状となっている。（たとえば、特許文献１参照）
【先行技術文献】
【特許文献】
【０００３】
【特許文献１】特開２０１２−３７０８５号公報
【発明の概要】
【発明が解決しようとする課題】
【０００４】
上記の特許文献１に開示されている空気調和機の室内機においては、仕切板が確実に固定されていないため、運転中に軸流ファンからの気流が仕切板に当たり、振動することで異音が発生するおそれがあるという課題がある。【０００５】
本発明は、上記のような課題を解決するためになされたもので、仕切板に気流が当たっても振動を抑制し、振動による異音の発生を防止することで、信頼性の高い空気調和機の室内機を得ることを目的とする。
【課題を解決するための手段】
【０００６】
本発明に係る空気調和機の室内機は、並列に並べられた複数のファンと、複数のフィン及び冷媒を通す伝熱管を有し、前記ファンの下流に配置された熱交換器と、前記ファンと前記熱交換器との間にあり、複数の前記ファンの気流をそれぞれ独立させる仕切板と、を備える空気調和機の室内機であって、前記熱交換器は、互いに平行でない少なくとも１組の斜面部を備え、前記仕切板は、前記熱交換器の１組の前記斜面部にそれぞれ対向する、少なくとも１組の側面を有し、前記側面は、係止爪と、前記フィンの間に入り込む突出片と、を備え、前記係止爪は、弾性力を有する腕部と、該腕部の先端にあり、前記斜面部に向かい突出している爪部と、を備え、一方の前記側面に備えられた前記係止爪と他方の前記側面に備えられた前記係止爪とは、互いに逆方向に可動となっており、前記爪部は、対向する前記斜面部の前記フィンの間に入り、前記伝熱管に係合する。
【発明の効果】
【０００７】
本発明に係る空気調和機によれば、仕切板を熱交換器へ取り付けると、室内機の前後、上下、左右方向への仕切板の移動を拘束でき、仕切板に気流が当たっても振動を防止できる。仕切板の取り付け時は、腕部が弾性変形することで、爪が熱交換器のフィンとフィンの間に入り込む。仕切板の取り付け後は、爪形状が伝熱管に引っ掛かり、仕切板が外れることを防止できる。
【図面の簡単な説明】
【０００８】
【図１】本発明の実施の形態１に係る空気調和機の室内機の全体の外観を示す図である。
【図２】図１の室内機の分解斜視図を示す。
【図３】図１の室内機の内部の構造を示した図である。
【図４】図１の空気調和機の室内機の断面Ａ−Ａを示す図である。
【図５】図１の空気調和機の室内機の断面Ｂ−Ｂを示す図である。
【図６】図５の仕切板及び熱交換器の部分のみを表した図である。
【図７】図１の室内機の仕切板の正面図である。
【図８】図１の室内機１００の仕切板９０の斜視図である。
【図９】図６の仕切板の爪が熱交換器の伝熱管に係止する際の動きを説明する図である。
【図１０】図６の斜面部の伝熱管に係止している爪の拡大図である。
【図１１】図１の室内機の熱交換器の熱交換ユニットが２つで構成され、Ｖ字形状に連結されている場合の熱交換器と仕切板の図である。
【図１２】図１の室内機の熱交換器の熱交換ユニットが４つで構成され、Ｍ字形状に連結されている場合の熱交換器と仕切板の図である。
【図１３】図１の室内機の熱交換器の熱交換ユニットが２つで構成され、逆Ｖ字形状に連結されている場合の熱交換器と仕切板の図である。
【発明を実施するための形態】
【０００９】
以下、図面に基づいて本発明の実施の形態について説明する。各図において、同一の符号を付した機器等については、同一の又はこれに相当する機器を表すものであって、これは明細書の全文において共通している。また、明細書全文に表れている構成要素の形態は、あくまで例示であって、本発明は明細書内の記載のみに限定されるものではない。特に構成要素の組み合わせは、各実施の形態における組み合わせのみに限定するものではなく、他の実施の形態に記載した構成要素を別の実施の形態に適用することができる。さらに、添字で区別等している複数の同種の機器等について、特に区別したり、特定したりする必要がない場合には、添字を省略して記載する場合がある。また、図面では各構成部材の大きさの関係が実際のものとは異なる場合がある。
【００１０】
実施の形態１．
（室内機１００の構造）
図１は、本発明の実施の形態１に係る空気調和機の室内機１００の全体の外観を示す図である。図２は、図１の室内機１００の分解斜視図を示す。図３は、図１の室内機１００の内部の構造を示した図である。図２は、前面側の筐体６の一部を省略し、内部構造が見えるようにしたものである。筐体６側を室内機１００の前側、背面筐体１側を室内機１００の後側とし、軸流ファン３が配置してある側を上側、吹出口５がある側を下側とする。
【００１１】
室内機１００は、外観を構成する背面筐体１と、前面側にある筐体６を備える。室内機１００の上面側には、２つの軸流ファン３が室内機１００の長手方向に並列に配置されたファンユニット３０が配置されている。室内機１００の内部は、風路が形成され、軸流ファン３の下側であり風路の下流に熱交換器２が配置されている。熱交換器２の下側には、吹出口５が配置されている。また、熱交換器２の長手方向の端部には電気品箱４が配置されている。軸流ファン３と熱交換器２の間の空間には、仕切板９０が配置されている。その仕切板９０は、２つの軸流ファン３の間に位置しており、軸流ファン３ａと軸流ファン３ｂとのそれぞれが生じさせる気流を独立させている。熱交換器２、軸流ファン３、電気品箱４、吹出口５は、背面筐体１に装着されている。筐体６は背面筐体１にネジ固定される。
【００１２】
図４は、図１の空気調和機の室内機１００の断面Ａ−Ａを示す図である。断面Ａ−Ａは軸流ファン３の中心を通る断面である。図４を用いて、実施の形態１に係る空気調和機の室内機１００の空気の流れについて説明する。室内機１００の上面には吸入口２５があり、室内の空気は軸流ファン３によって吸入口２５より吸い込まれ、熱交換器２側へ押し込まれる。押し込まれた空気は、熱交換器２のフィン２１の間を通過し、伝熱管２０の内部を通る冷媒と熱交換する。熱交換器２において熱交換された空気は、冷気又は暖気になり、吹出口５より室内へ送風される。
【００１３】
熱交換器２の下側には、吹出口５が配置されている。吹出口５は、熱交換器２側にドレンパン部５ａ及びドレンパン部５ｂが形成されており、熱交換器２の後述するＷ形状の下部の頂点部周辺を下側から覆っている。ドレンパン部５ａの間、ドレンパン部５ａと背面筐体１との間、ドレンパン部５ａと筐体６との間は、熱交換器２を通過した空気が通る風路となっている。
【００１４】
図５は、図１の空気調和機の室内機１００の断面Ｂ−Ｂを示す図である。断面Ｂ−Ｂは、２つある軸流ファン３の間を通る断面である。図５に示されるように、仕切板９０は、ファンユニット３０と熱交換器２との間に配置されている。熱交換器２は、４つの熱交換ユニット２３ａ〜２３ｄから構成され、室内機１００の風路の室内機１００前後方向の幅全域にわたって配置されている。仕切板９０も、室内機１００の風路の室内機１００前後方向の幅全域にわたって配置されている。仕切板９０は、熱交換器２の上側に位置している。
【００１５】
仕切板９０の上面側の外形形状は、ファンユニット３０の下面の形状に沿った形状になっている。また、仕切板９０の側面、つまり背面筐体１及び筐体６に面している部分の形状は、背面筐体１及び筐体６により形成される風路の形状に沿った形状となっている。さらに、仕切板９０の下面側、つまり熱交換器２側の外形形状は、熱交換器２の軸流ファン３側の断面の輪郭に沿った形状となっている。実施の形態１においては、仕切板９０とファンユニット３０の下面とは、隙間が空いているが、隙間は、弾性を有する素材などにより埋められていても良い。また、仕切板９０の前側の面、後ろ側の面及び下面側も、対向する面との間に各部品の寸法精度に応じた隙間が形成されている。この隙間についても、弾性を有する素材などで埋めても良い。これらの隙間は、軸流ファン３ａ及び軸流ファン３ｂにより生じる気流を独立して制御できれば、空いていても許容される。
【００１６】
（熱交換器２）
図６は、図５の仕切板９０及び熱交換器２の部分のみを表した図である。実施の形態１の熱交換器２は、熱交換ユニット２３ａ、熱交換ユニット２３ｂ、熱交換ユニット２３ｃ、熱交換ユニット２３ｄから構成されている。熱交換ユニット２３ａ〜２３ｄは、室内機１００の左右方向に垂直な断面において、Ｗ形に並べられている。なお、熱交換器２の断面形状は、Ｗ形に限らず、平行でない少なくとも２つの斜面部を備えていれば良い。実施の形態１においては、図６に示すように熱交換器２は、斜面部２２ａと斜面部２２ｂとの組み合わせ、斜面部２２ｃと斜面部２２ｄとの組み合わせのように、平行でない２つの斜面部の組み合わせが２組設けられている。なお、平行でない２つの斜面部の組み合わせは、斜面部２２ａと斜面部２２ｄとの組み合わせ、又は斜面部２２ｃと斜面部２２ｂとの組み合わせであっても良い。熱交換器２の斜面部２２ａ〜２２ｄと仕切板９０との固定方法、熱交換器２の他の形状の例は後述する。各熱交換ユニットは、複数のフィン２１が室内機１００の左右方向に積み重なっており、そのフィン２１を貫通して伝熱管２０が通っている。伝熱管２０は、端部で折り返されることにより、同一断面においては複数の伝熱管２０がフィン２１を貫通している。また、実施の形態１においては、４つの熱交換ユニットから熱交換器２が構成されているが、各熱交換ユニットは、分離されていても一体となっていても良い。
【００１７】
（仕切板９０）
図７は、図１の室内機１００の仕切板９０の正面図である。実施の形態１に係る仕切板９０の構造について図７を用いて説明する。仕切板９０は、主に、長方形仕切り部９０ａ、三角形仕切り部９０ｂ、爪部９０ｃ、フック９０ｅ、突出片９０ｄの５つの要素により構成されている。長方形仕切り部９０ａは、軸流ファン３と熱交換器上端との間の空間を仕切り、熱交換器２のフィンに接する。三角形仕切り部９０ｂは、連結される熱交換ユニット２３ａ及び熱交換ユニット２３ｂ、熱交換ユニット２３ｃ及び熱交換ユニット２３ｄの間に形成される断面が三角形の空間を仕切り、熱交換器２のフィンに接する。爪部９０ｃは、三角形仕切り部９０ｂの熱交換器２の斜面部に対向する側面９０ｈに形成されて、その側面９０ｈが対向する２つの熱交換ユニット、すなわち熱交換ユニット２３ａ及び熱交換ユニット２３ｂ、又は熱交換ユニット２３ｃ及び熱交換ユニット２３ｄのフィン２１の間に入り込み、それぞれの伝熱管２０の下側に係止する。フック９０ｅは、先端に爪部９０ｃが設けられており、弾性変形可能になっている。突出片９０ｄは、上記の爪とは上下方向に離れた位置でフィン２１の間に入り込む。なお、フック９０ｅは、本発明における腕部に相当する。また、上記のフック９０ｅとその先端に設けられている爪部９０ｃとをまとめて係止爪９０ｆと呼ぶ。また、長方形仕切り部９０ａは、形状は長方形に限られず、熱交換器２とファンユニット３０との間の空間を仕切るものであれば良い。また、三角形仕切り部９０ｂは、形状は三角形に限られず、熱交換器２の形状に沿って空間を仕切るものであれば良い。
【００１８】
図８は、図１の室内機１００の仕切板９０の斜視図である。図８に示されるように、仕切板９０の長方形仕切り部９０ａ及び三角形仕切り部９０ｂには、外周及び面に凸形状のリブ９１が設けられている。これにより、仕切板９０の剛性及び強度が向上する。なお、リブ９１の本数、位置は図８に記載のものに限定されず、仕切板９０に必要とされる強度及び剛性に応じ適宜決定される。
【００１９】
（仕切板９０の取付）
次に仕切板９０の熱交換器２への取り付けについて説明する。取り付け時は仕切板９０を熱交換器２の上方、実施の形態１においてはＷ字形状の熱交換器２のＷの開いた側から、熱交換器２の断面の輪郭に沿った仕切板９０の側面９０ｈを合わせるように嵌め合わせる。熱交換器２は、熱交換ユニット２３ａ〜２３ｄがＷ字形状に連結されている。よって熱交換器２の断面の輪郭に沿った外郭形状を有する仕切板９０も、外郭形状の輪郭は熱交換器２のＷ字形状に沿った形状となる。仕切板９０の外郭には、熱交換器２と接触する突起９０ｇが設けられている。突起９０ｇは、熱交換器２の上部のフィン２１と接触し、仕切板９０と熱交換器２との位置関係が決まる。突起９０ｇは、熱交換器２のフィン２１と上下方向だけでなく斜め方向に接触しており、室内機１００の前後方向及び下方向に対しての移動が抑制される。なお、仕切板９０と熱交換器２の当接部は、突起９０ｇに限られず、例えば仕切板９０の側面９０ｈのどれかを当接させても良い。
【００２０】
図９は、図６の仕切板９０の爪部９０ｃが熱交換器２の伝熱管２０に係止する際の動きを説明する図である。図９（ａ）は、爪部９０ｃが伝熱管２０の下側に挿入される前の状態を示す図である。図９（ｂ）は爪部９０ｃが伝熱管２０の下側に挿入される途中の状態を示す図である。図９（ｃ）は爪部９０ｃが伝熱管２０の下側に挿入された状態を示す図である。図９（ａ）の状態において、作業者は、仕切板９０の外郭形状と熱交換器２の断面の輪郭が合うように仕切板９０の位置を決める。その後、図９（ｂ）の状態において、作業者は、仕切板９０の爪部９０ｃ及び突出片９０ｄをフィン２１の間に挿入する。取り付け時に先端の爪部９０ｃが伝熱管２０にあたることでフック９０ｅは三角形仕切り部９０ｂの内側に弾性変形し、爪部９０ｃは仕切板９０の組み付けを阻害しないように退避する。そして、図９（ｃ）の状態において、仕切板９０が固定すべき位置に到達すると先端の爪部９０ｃがフック９０ｅの弾性力により元の位置に復帰し、フィン２１の間でかつ伝熱管２０の下側に挿入される。
【００２１】
（係止爪９０ｆ）
係止爪９０ｆを構成するフック９０ｅは、熱交換器２の下側を根元にして熱交換器２上側にフック９０ｅの先端が位置するように形成してある。また、係止爪９０ｆを構成する爪部９０ｃは、フック９０ｅの先端側から根元に向かうに従いフック９０ｅからの突出量が小さくなるように端部が傾斜した誘い形状になっている。この構造により、仕切板９０の挿入方向、つまり、実施の形態１においては室内機１００の上から下の方向に対しては、フック９０ｅが三角形仕切り部９０ｂの内側方向に変形しやすい。また、仕切板９０が熱交換器２に取り付けられた状態から取り外し方向に力が加えられた時に、仕切板９０の爪部９０ｃと熱交換器２の伝熱管２０とが接触するが、その接触点の法線方向は、フック９０ｅと平行又は平行に近くなっている。この構造により、取外し方向、つまり、室内機１００の下から上方向に対してはフック９０ｅが内側に変形しにくくなるため、仕切板９０が外れにくく上下方向に対して確実に固定することができる。
【００２２】
実施の形態１において、係止爪９０ｆは、仕切板９０に２対設けられており、三角形仕切り部９０ｂに１対ずつ設けられている。１つの三角形仕切り部９０ｂに設けられている１対の爪部９０ｃ及びフック９０ｅは、三角形仕切り部９０ｂの２つの側面９０ｈのそれぞれに沿って設けられている。そして、１対の爪部９０ｃ及びフック９０ｅは、互いに逆方向に動くようになっている。実施の形態１においては、１対の爪部９０ｃ及びフック９０ｅは、三角形仕切り部９０ｂの２つの側面９０ｈを辺との２等分線について対称な方向に動くようにされている。このように爪部９０ｃ及びフック９０ｅが１対で設けられていることにより、仕切板９０が室内機１００の前後方向に回転させるように動いた場合であっても、熱交換器２から外れにくく、確実に固定することができる。
【００２３】
なお、実施の形態１においては、２対の係止爪９０ｆが設けられているが、１対であっても、仕切板９０の固定が可能である。ただし、１対の係止爪９０ｆは、上述のように互いに逆方向に動くようになっている必要がある。例えば、図６において、熱交換器２の斜面部２２ａと斜面部２２ｂとに設けられている１対の係止爪９０ｆにより仕切板９０を固定することが可能である。あるいは、図６において、熱交換器２の斜面部２２ａと斜面部２２ｄとに対向した側面９０ｈに設けられている１対の係止爪９０ｆ、斜面部２２ｂと斜面部２２ｃとに対向した側面９０ｈに設けられている１対の係止爪９０ｆ、又は斜面部２２ｃと斜面部２２ｄとに対向した側面９０ｈに設けられている１対の係止爪９０ｆにより仕切板９０を固定することが可能である。仕切板９０が前後方向に回転させるように動いた場合であっても、１対の係止爪９０ｆにより２点で仕切板９０を固定することができ、熱交換器２から外れにくく、確実に固定することができる。
【００２４】
図１０は、図６の斜面部２２ａの伝熱管２０に係止している爪部９０ｃの拡大図である。仕切板９０が熱交換器２から取り外される方向に動かされると、爪部９０ｃは、伝熱管２０に接触する。爪部９０ｃと伝熱管２０との接触点における法線９５は、実施の形態１においてはフック９０ｅと２０°の角度を成して構成されている。仕切板９０を熱交換器２から取り外す方向に動かすと、法線９５の方向に爪部９０ｃに力がかかる。この時、法線９５とフック９０ｅとのなす角度９６が大きいと、係止爪９０ｆは、伝熱管２０から矢印９７の方向に力を受けるため、伝熱管２０から外れやすい。法線９５とフック９０ｅとのなす角度９６は、小さい方が仕切板９０が熱交換器２から外れにくくなる。
【００２５】
（突出片９０ｄ）
実施の形態１において、突出片９０ｄは、三角形仕切り部９０ｂにおいて爪部９０ｃと上下方向に離れた位置に設けられている。突出片９０ｄは、熱交換器２のフィン２１の間に入り込む。爪部９０ｃもフィン２１の間に入り込んでいるが、爪部９０ｃのみの固定では仕切板９０が爪部９０ｃを支点に室内機１００の左右方向に回転し、傾いてしまうおそれがある。しかし、爪部９０ｃと突出片９０ｄとが熱交換器２の上下でフィンとフィンの間に入り込むことによって、仕切板９０が室内機１００の左右方向の傾きを防止でき、確実に固定することができる。
【００２６】
実施の形態１において、突出片９０ｄは、仕切板９０に２対設けられており、１つの三角形仕切り部９０ｂに１対ずつ設けられている。突出片９０ｄは、１つの三角形仕切り部９０ｂの２つの斜面に１つずつ設けられており、仕切板９０の斜面が向かい合っているそれぞれの熱交換ユニット、すなわち熱交換ユニット２３ａ及び熱交換ユニット２３ｂ、熱交換ユニット２３ｃ及び熱交換ユニット２３ｄのフィンの間に１つずつ入り込んでいる。このように突出片９０ｄが設けられていることで、仕切板９０が室内機１００の前後方向に回転させるように動いた場合であっても、熱交換器２のフィン２１の間から突出片９０ｄが２つとも同時に外れることがない。これにより、仕切板９０は、熱交換器２から外れにくく、確実に固定することができる。
【００２７】
なお、実施の形態１においては、２対の突出片９０ｄが設けられているが、１対であっても、仕切板９０の固定が可能である。例えば、図６において、熱交換器２の斜面部２２ａと斜面部２２ｄとに設けられている１対の突出片９０ｄにより仕切板９０を固定することが可能である。あるいは、図６において、熱交換器２の斜面部２２ｂと斜面部２２ｃとに対した面に設けられている１対の突出片９０ｄにより仕切板９０を固定することが可能である。仕切板９０が室内機１００の前後方向に回転させるように動いた場合であっても、１対の突出片９０ｄのどちらかが熱交換器２のフィン２１の間に入り込んでいる。よって、熱交換器２のフィン２１の間から突出片９０ｄが２つとも同時に外れることがなく、仕切板９０は、熱交換器２から外れにくく、確実に固定することができる。また、斜面部２２ａと斜面部２２ｂとに対した側面９０ｈに設けられている１対の突出片９０ｄ、又は斜面部２２ｃと斜面部２２ｄとに対した側面９０ｈに設けられている１対の突出片９０ｄにより仕切板９０を固定することもできる。しかし、この場合は２つある三角形仕切り部９０ｂの一方は、突出片９０ｄを備えていないため、仕切板９０の異音を防止する効果が比較的低くなる。
【００２８】
（効果）
実施の形態１に係る空気調和機の室内機１００は、並列に並べられた複数の軸流ファン３と、複数のフィン２１及び冷媒を通す伝熱管２０を有し、軸流ファン３の下流に配置された熱交換器２と、軸流ファン３と熱交換器２との間にあり、複数の軸流ファン３の気流をそれぞれ独立させる仕切板９０と、を備える空気調和機の室内機１００である。熱交換器２は、互いに平行でない少なくとも一組の斜面部２２ａ〜２２ｄを備える。一組の斜面部とは、実施の形態１においては、斜面部２２ａ及び斜面部２２ｂ、斜面部２２ｃ及び斜面部２２ｄ、斜面部２２ａ及び斜面部２２ｄ、斜面部２２ｂ及び斜面部２２ｃの何れかの組み合わせである。仕切板９０は、熱交換器２の１組の斜面部２２ａ〜２２ｄにそれぞれ対向している少なくとも１組の側面９０ｈを有する。側面９０ｈは、係止爪９０ｆと、フィン２１の間に入り込む突出片９０ｄと、を備える。係止爪９０ｆは、弾性力を有するフック９０ｅと、フック９０ｅの先端にあり、斜面部２２ａ〜２２ｄに向かい突出している爪部９０ｃと、を備え、一方の側面９０ｈに備えられた係止爪９０ｆと他方の側面９０ｈに備えられた係止爪９０ｆとは互いに逆方向に可動となっている。爪部９０ｃは、対向する斜面部２２ａ〜２２ｄのフィン２１の間に入り、伝熱管２０に係合する。このように構成することにより、室内機１００の風路を分割する仕切板９０を熱交換器２から外れにくくなる。また、室内機１００の前後、上下、左右方向への仕切板９０の移動が制限されるため、仕切板９０が軸流ファン３からの気流を受けたことにより生じる振動を防止することができる。軸流ファン３により生じる気流による異音の発生を防止し、信頼性の高い空気調和機の室内機１００を得ることができる。
【００２９】
実施の形態１に係る空気調和機の室内機１００においては、さらに、爪部９０ｃは、仕切板９０が熱交換器２に取り付けられる方向に向かってフック９０ｅからの突出量が減少する誘い形状を備える。このように構成することにより、仕切板９０は、熱交換器２に取付容易である。
【００３０】
実施の形態１に係る空気調和機の室内機１００においては、さらに、爪部９０ｃは、仕切板９０の取付状態から取り外し方向に力を加えた際に伝熱管２０と接触する面の法線９５方向がフック９０ｅと２０°以下の角度をなす。このように構成することにより、仕切板９０は、熱交換器２に取付状態から外しにくく、仕切板９０の熱交換器２への固定を確実にできる。
【００３１】
実施の形態１に係る空気調和機の室内機１００においては、さらに、突出片９０ｄは、熱交換器２の互いに平行でない１組の斜面部２２ａ〜２２ｄのそれぞれのフィン２１の間に入り込む。このように構成することにより、熱交換器２のフィン２１の間から突出片９０ｄが２つとも同時に外れることがなく、仕切板９０は、熱交換器２から外れにくく、確実に固定することができる。また、軸流ファン３により生じる気流による異音の発生を防止し、信頼性の高い空気調和機の室内機１００を得ることができる。
【００３２】
実施の形態１に係る空気調和機の室内機１００においては、さらに、熱交換器２は、断面形状がＷ形状に熱交換ユニット２３ａ〜２３ｄが並べられている。このように構成することにより、仕切板９０は、熱交換器２に形状が一般的なＷ形であっても確実に固定できる。
【００３３】
実施の形態１に係る空気調和機の室内機１００においては、さらに、仕切板９０は、軸流ファン３と熱交換器２との間の風路を仕切る長方形仕切り部９０ａ及び三角形仕切り部９０ｂを備え、該仕切り部は、外周及び表面にリブ９１を設けている。このように構成することにより、仕切板９０の剛性及び強度が向上する。なお、長方形仕切り部９０ａ及び三角形仕切り部９０ｂは、本発明の仕切り部に相当する。
【００３４】
実施の形態２．
実施の形態２は、実施の形態１に対し、室内機１００内に設置されている熱交換器２の形状を変更したものであり、それに伴い仕切板９０の形状も変更させたものである。実施の形態２においては、実施の形態１に対する変更点を中心に説明する。
【００３５】
図１１は、図１の室内機１００の熱交換器の熱交換ユニットが２つで構成され、Ｖ字形状に連結されている場合の熱交換器２００と仕切板１９０の図である。熱交換器２００は、熱交換ユニット１２３ａと熱交換ユニット１２３ｂとが断面形状がＶ字形状になるように並べられている。熱交換器２００の互いに平行でない斜面部１２２ａと斜面部１２２ｂに沿って仕切板１９０の三角形仕切り部１９０ｂが形成されている。三角形仕切り部１９０ｂは、斜面部１２２ａと斜面部１２２ｂとに対向して側面１９０ｈを有し、それぞれの側面１９０ｈには係止爪１９０ｆが形成されている。係止爪１９０ｆの爪部１９０ｃは、熱交換器２００のフィン１２１の間に入り込み、伝熱管１２０に係止されている。爪部１９０ｃと伝熱管１２０との係止状態は、実施の形態１の爪部９０ｃと伝熱管２０の係止状態と同様である。また、突出片１９０ｄも実施の形態１の突出片９０ｄと同形状であり、熱交換ユニット１２３ａ及び熱交換ユニット１２３ｂに入り込んでいる。
【００３６】
（効果）
実施の形態２の空気調和機の室内機１００においては、熱交換器２００は、複数の熱交換ユニットを備え、断面形状がＶ形状に熱交換ユニット１２３ａ、１２３ｂが並べられている。このように構成することにより、仕切板９０は、熱交換器２００がＶ形状であっても実施の形態１と同様に確実に固定でき、軸流ファン３により生じる気流による異音の発生を防止し、信頼性の高い空気調和機の室内機１００を得ることができる。
【００３７】
実施の形態３．
実施の形態３は、実施の形態１に対し、室内機１００内に設置されている熱交換器２の形状を変更したものであり、それに伴い仕切板９０の形状も変更させたものである。実施の形態３においては、実施の形態１に対する変更点を中心に説明する。
【００３８】
図１２は、図１の室内機１００の熱交換器の熱交換ユニットが４つで構成され、Ｍ字形状に連結されている場合の熱交換器３００と仕切板２９０の図である。熱交換器３００は、熱交換ユニット２２３ａ〜２２３ｄが断面形状がＭ字形状になるように並べられている。ファンユニット３０と熱交換器２００の間の空間は、仕切板２９０の長方形仕切り部２９０ａ及び三角形仕切り部２９０ｂにより仕切られている。熱交換器２００の斜面部２２２ａ〜２２２ｄのそれぞれに沿って仕切板２９０の三角形仕切り部２９０ｂが形成されている。三角形仕切り部２９０ｂには斜面部２２２ａ〜２２２ｂのそれぞれに対向して側面２９０ｈが備えられ、それぞれの側面２９０ｈには係止爪２９０ｆが形成されている。係止爪２９０ｆの爪部２９０ｃは、熱交換器３００のフィン２２１の間に入り込み、伝熱管２２０に係止されている。
【００３９】
爪部２９０ｃと伝熱管２２０との係止状態は、実施の形態１と異なっている。爪部２９０ｃと伝熱管２２０との接触点における法線２９５は、実施の形態３においてはフック２９０ｅと平行になるように構成されている。これにより、仕切板２９０を取り外す方向に力をかけても、フック２９０ｅを三角形仕切り部２９０ｂの内側方向へ動かす力が少なく、爪部２９０ｃは外れにくい。なお、爪部２９０ｃの形状は、実施の形態１及び実施の形態２に適用することもできる。また、実施の形態１の爪部９０ｃの形状を実施の形態３に適用することもできる。空気調和機の室内機１００に必要な仕切板２９０の固定強度に応じて法線とフック２９０ｅとの成す角度は適宜決定すればよい。
【００４０】
（効果）
実施の形態３の空気調和機の室内機１００においては、熱交換器３００は、複数の熱交換ユニット２２３ａ〜２２３ｄを有し、断面形状がＭ形状に熱交換ユニット２２３ａ〜２２３ｄが並べられている。このように構成することにより、仕切板２９０は、熱交換器３００がＭ形状であっても実施の形態１と同様に確実に固定でき、軸流ファン３により生じる気流による異音の発生を防止し、信頼性の高い空気調和機の室内機１００を得ることができる。
【００４１】
実施の形態４．
実施の形態４は、実施の形態１に対し、室内機１００内に設置されている熱交換器２の形状を変更したものであり、それに伴い仕切板９０の形状も変更させたものである。実施の形態２においては、実施の形態１に対する変更点を中心に説明する。なお、実施の形態１と同じ部分または相当する部分には同じ符号を付し、一部の説明を省略する。各部材の相対的な大きさや板厚等は図示する寸法に限定されるものではない。
【００４２】
図１３は、図１の室内機１００の熱交換器の熱交換ユニットが２つで構成され、逆Ｖ字形状に連結されている場合の熱交換器４００と仕切板３９０の図である。熱交換器４００は、熱交換ユニット３２３ａと熱交換ユニット３２３ｂとが断面形状が逆Ｖ字形状になるように並べられている。ファンユニット３０と熱交換器４００の間の空間は、仕切板３９０の長方形仕切り部３９０ａ及び三角形仕切り部３９０ｂにより仕切られている。熱交換器４００の互いに平行でない斜面部３２２ａと斜面部３２２ｂに沿って仕切板３９０の三角形仕切り部３９０ｂが形成されている。三角形仕切り部３９０ｂには斜面部３２２ａ及び斜面部３２２ｂのそれぞれに対向して側面３９０ｈが備えられ、それぞれの側面３９０ｈには係止爪３９０ｆが形成されている。係止爪３９０ｆの爪部３９０ｃは、熱交換器４００のフィン３２１の間に入り込み、伝熱管３２０に係止されている。爪部３９０ｃと伝熱管３２０との係止状態は、実施の形態３と同様である。なお、実施の形態１の爪部９０ｃの形状を実施の形態３の仕切板３９０に適用しても良い。
【００４３】
（効果）
実施の形態４の空気調和機の室内機１００においては、熱交換器４００は、複数の熱交換ユニット３２３ａ〜３２３ｂを有し、断面形状が逆Ｖ形状に熱交換ユニット３２３ａ、３２３ｂが並べられている。このように構成することにより、仕切板３９０は、熱交換器４００が逆Ｖ形状であっても実施の形態１と同様に確実に固定でき、軸流ファン３により生じる気流による異音の発生を防止し、信頼性の高い空気調和機の室内機１００を得ることができる。
【符号の説明】
【００４４】
１  背面筐体、２  熱交換器、３  軸流ファン、３ａ  軸流ファン、３ｂ  軸流ファン、４  電気品箱、５  吹出口、５ａ  ドレンパン部、５ｂ  ドレンパン部、６  筐体、２０  伝熱管、２１  フィン、２２ａ  斜面部、２２ｂ  斜面部、２２ｃ  斜面部、２２ｄ  斜面部、２３ａ  熱交換ユニット、２３ｂ  熱交換ユニット、２３ｃ  熱交換ユニット、２３ｄ  熱交換ユニット、２５  吸入口、３０  ファンユニット、９０  仕切板、９０ａ  長方形仕切り部、９０ｂ  三角形仕切り部、９０ｃ  爪、９０ｄ  突出片、９０ｅ  フック、９０ｆ  係止爪、９０ｇ  突起、９０ｈ  側面、９１  リブ、９５  法線、９６  角度、９７  矢印、１００  室内機、１２０  伝熱管、１２１  フィン、１２２ａ  斜面部、１２２ｂ  斜面部、１２３ａ  熱交換ユニット、１２３ｂ  熱交換ユニット、１２３ｃ  熱交換ユニット、１２３ｄ  熱交換ユニット、１９０  仕切板、１９０ａ  三角形仕切り部、１９０ｃ  爪部、１９０ｄ  突出片、１９０ｆ  係止爪、１９０ｈ  側面、２００  熱交換器、２１０  熱交換器、２２１  フィン、２２２ａ  斜面部、２２２ｂ  斜面部、２２２ｃ  斜面部、２２２ｄ  斜面部、２２３ａ  熱交換ユニット、２２３ｂ  熱交換ユニット、２２３ｃ  熱交換ユニット、２２３ｄ  熱交換ユニット、２９０  仕切板、２９０ｂ  三角形仕切り部、２９０ｃ  爪部、２９０ｅ  フック、２９０ｆ  係止爪、２９５  法線、３００  熱交換器、３２０  伝熱管、３２１  フィン、３２２ａ  斜面部、３２２ｂ  斜面部、３２３ａ  熱交換ユニット、３２３ｂ  熱交換ユニット、３９０  仕切板、３９０ｂ  三角形仕切り部、３９０ｃ  爪部、３９０ｆ  係止爪、３９０ｈ  側面、４００  熱交換器。
【図１】
2017013775.tif 000003
【図２】
2017013775.tif 000004
【図３】
2017013775.tif 000005
【図４】
2017013775.tif 000006
【図５】
2017013775.tif 000007
【図６】
2017013775.tif 000008
【図７】
2017013775.tif 000009
【図８】
2017013775.tif 000010
【図９】
2017013775.tif 000011
【図１０】
2017013775.tif 000012
【図１１】
2017013775.tif 000013
【図１２】
2017013775.tif 000014
【図１３】
2017013775.tif 000015
【国際調査報告】
2017013775.tif 000016
2017013775.tif 000017
2017013775.tif 000018